(57)【要約】【課題】画像メモリ等の不具合を生じない、高耐久な電子写真装置を提供する。【解決手段】条件[1]及び条件[2]で測定した電位減衰が３Ｖ以上２５Ｖ以下を満たす電子写真感光体と、転写手段の下流及び第１の帯電手段の上流に設置された第２の帯電手段とを有し、更に、転写手段から第１の帯電手段に到達する時間が０．４ｓｅｃ以下である電子写真装置。条件[1]前記感光体の表面電位が−６００（Ｖ）の時に、特定条件で露光し、露光から１８０ｍｓｅｃ後の前記感光体の表面電位を−４００（Ｖ）となるレーザー光量を（Ａ）とする。条件[2]  前記電子写真感光体の表面電位が−６００（Ｖ）の時に、レーザー光量（Ａ）を２．５μｓｅｃ露光し、９５ｍｓｅｃから１８３ｍｓｅｃの間の電位減衰を測定する。【選択図】図５−１
2009036830.tif 000002
【特許請求の範囲】
【請求項１】
少なくとも導電性支持体、有機感光層及び表面層を有し、且つ、条件[1]及び条件[2]で測定した電位減衰が３Ｖ以上２５Ｖ以下を満たす円筒状電子写真感光体と、第１の帯電手段と、露光手段と、現像手段と、前記第１の帯電手段と逆極性の電圧を印加する転写手段と、前記転写手段の下流及び前記第１の帯電手段の上流に前記電子写真感光体に非接触に設置され、且つ、前記第１の帯電手段と同極性の電圧を印加する第２の帯電手段とを少なくとも有し、更に、前記転写手段から前記第１の帯電手段に到達する時間が０．４ｓｅｃ以下である電子写真装置。
条件[1]  前記電子写真感光体の表面電位が−６００（Ｖ）の時に、前記露光手段に用いられる光源波長のレーザーを２．５μｓｅｃ露光し、露光から１８０ｍｓｅｃ後の前記電子写真感光体の表面電位を−４００（Ｖ）になるようにレーザー光量を調整し、前記−４００（Ｖ）となるレーザー光量を（Ａ）とする。
条件[2]  前記電子写真感光体の表面電位が−６００（Ｖ）の時に、レーザー光量（Ａ）を２．５μｓｅｃ露光し、９５ｍｓｅｃから１８３ｍｓｅｃの間の電位減衰を測定する。
【請求項２】
前記転写手段は中間転写体を有することを特徴とする請求項１に記載の電子写真装置。
【請求項３】
前記表面層は、熱または放射線照射により硬化した層であることを特徴とする請求項１または２に記載の電子写真装置。
【発明の詳細な説明】
【技術分野】
【０００１】
本発明は、電子写真装置に関する。
【背景技術】
【０００２】
従来、電子写真感光体にはセレン、硫化カドミウム、酸化亜鉛等の無機光導電物質が広く用いられていた。一方、有機光導電性物質と各種染料や顔料を組み合わせた有機電子写真感光体もある。
【０００３】
有機光導電性物質を用いた電子写真感光体は成膜性が良く、塗工によって生産できるため極めて生産性が高く、安価な電子写真感光体を提供できる利点を有している。また、使用する染料や顔料等の選択により、感光波長域を自在にコントロールすることができる等の利点を有しており、これまで幅広い検討がなされてきた。特に最近では、有機光導電性染料や顔料を含有した電荷発生層と、光導電性ポリマーや低分子の電荷輸送物質を含有した電荷輸送層を積層した機能分離型感光体が開発されている。機能分離型感光体により、従来の有機電子写真感光体の欠点とされていた感度や、耐久性に著しい改善がなされてきており、これが電子写真感光体の主流となってきている。
【０００４】
一方、当然のことながら、電子写真感光体には適用される電子写真プロセスに応じた感度、電気特性、光学特性等を備えていることが要求される。特に、繰り返し使用される感光体にあっては、その感光体表面には帯電、画像露光、トナー現像、被転写体への転写、残トナーのクリーニング等の電気的、機械的外力が直接加えられるため、それらに対する耐久性が求められる。具体的には、摺擦による表面の摩耗や傷の発生に対する耐久性、帯電による表面劣化、例えば転写効率や滑り性の低下、更には感度劣化、帯電能の低下等、電気特性の劣化に対する耐久性が要求される。
【０００５】
一般に、有機電子写真感光体の構成は薄い樹脂層であり、樹脂材料の特性が非常に重要である。上述の諸条件をある程度満足する樹脂として、近年アクリル樹脂やポリカーボネート樹脂などが実用化されているが、前述したような特性のすべてがこれらの樹脂で満足されるわけではない。特に感光体の高耐久化を図る上では、前記樹脂の被膜強度は十分に高いとは言い難い。これらの樹脂を表面層形成用の樹脂として用いた場合でも、繰り返し使用時において表面層の摩耗が起こるという問題点があった。
【０００６】
更に、近年の有機電子写真感光体の高感度化に対する要求から、感光体に対して電荷輸送物質などの低分子量化合物が比較的大量に添加される場合が多い。この場合、それら低分子量物質の可塑剤的な作用により、膜強度が著しく低下し、より一層繰り返し使用時の表面層の摩耗が問題となっている。また電子写真感光体を長期にわたって保存する際に、前述の低分子量成分が析出してしまい、相分離するといった問題も発生している。
【０００７】
これらの問題点を解決する手段として、硬化性の樹脂を電荷輸送層用の樹脂として用いる試みが、特許文献１に開示されている。このように、電荷輸送層用の樹脂に硬化性の樹脂を用い、電荷輸送層を硬化、架橋することによって機械的強度が増し、繰り返し使用時の耐摩耗性及び耐傷性は大きく向上する。
【０００８】
表面層に硬化性樹脂を含有する有機感光体は、長期間の耐久使用時も表面層の摩耗がほとんどなく、初期の表面層の形状を耐久使用中に維持しつづける性質を有する。
【０００９】
そのため、硬化性樹脂を含有する有機感光体は摩耗に関しては、有効な手段であるが、熱または放射線照射により形成された電荷輸送層は電荷輸送機能が硬化により阻害され、感度において不具合を発生する問題が生じている。
【００１０】
電子写真装置においては近年はカラー比率が上昇している。黒色トナー１色のみと比較して、トナーののり量が多くなり、転写効率を上げるために、印加する転写電圧が大きくなる。ここで、トナーののり量とは、中間転写体または、転写ベルト等にカラートナー画像が積層された時の、トナー像の高さのことを表している。そのため、感光体は帯電手段と逆極性の帯電の印加が増加する。感光体は逆極性の帯電に対しては感度を有さないため、電荷が蓄積、もしくは、感光層内に注入して、トラップされ、次プロセスの帯電手段の印加時に、電位差を生じ、画像に濃度差を生じる問題が発生する。
【００１１】
特に、トナー像が形成された画像先端部においては、感光体と例えば中間転写体との接触部において他の領域とは異なる空隙が生じるため、トナー像が感光体から離間する際に、剥離放電が生じてしまう。すると、トナー像の先端部において、トナー像を形成させた感光体の表面電位よりも＋帯電側に感光体に表面電位が形成される。トナー像を形成させた感光体の表面電位が０Ｖに近い場合は、感光体が負帯電のみ感度を有していても、＋側に帯電する場合もある。感光体が感度において不具合を有する場合は、帯電手段で感光体表面を均一に帯電させても、画像先端部の表面電位が消去されず帯電電位の低い領域となりメモリが形成され、現像手段により現像されてしまう。
【００１２】
また、転写手段の下流にブレード形状を有したクリーニング手段を有する場合は、感光体とクリーニングブレードの間隙にトナーが堆積したり、感光体とクリーニングブレードの間隙からすり抜け、ブレードの端面にトナーが堆積したりする。これらのトナーが、この電位差により、現像され感光体上にトナーがスラスト方向（感光体の長手方向）に形成され、更に、現像手段により現像されるため、よりスラスト方向の画像スジが発生する。
【００１３】
例えば、トナー像がスラスト方向に長い帯状の画像を形成させた場合は、画像先端部が現像され、スラスト方向に画像スジが形成され、好ましくない画像欠陥を生じる。転写手段より帯電手段まで要する時間が長ければ、先ほどの深い電位も減衰により減少し低減する傾向がある。
【００１４】
更に、電子写真装置において、小型化、高速化が行われている。小型化に対応して、感光体は外径を小径化するため、感光体の１回転に要する時間が短縮されることになる。
【００１５】
また、高速化により、同様に、感光体の１回転に要する時間が短縮されることになり、上記の画像メモリが減少せず、画像不具合を発生する。熱または放射線照射により形成された電荷輸送層は電荷輸送機能が硬化により阻害されているため、より顕著に発生する。
【００１６】
また、電子写真装置においては、感光体が感度において不具合を発生する場合には、帯電手段の上流側に前露光手段を有している。更に、特許文献２のように前露光手段の上流に補助帯電機構を設けて、帯電手段により感光体の表面電位を一定に保つようにしている。
【特許文献１】特開平２−１２７６５２号公報
【特許文献２】特開２０００−２６７３８４号公報
【発明の開示】
【発明が解決しようとする課題】
【００１７】
電子写真装置のカラー化、小型化、高速化により、感光体は高感度化が要求される。感光体は、耐磨耗性、耐傷性も求められ、其れに対しては、硬化性樹脂を用いることにより、大きく向上するが、高感度化に対しては、電荷輸送機能が硬化により阻害されるため、両立させることは困難である。
【００１８】
本発明の目的は、画像メモリ等の不具合を生じない、高耐久な電子写真装置を提供することである。
【課題を解決するための手段】
【００１９】
本発明は、少なくとも導電性支持体、有機感光層及び表面層を有し、且つ、条件[1]及び条件[2]で測定した電位減衰が３Ｖ以上２５Ｖ以下を満たす円筒状電子写真感光体と、第１の帯電手段と、露光手段と、現像手段と、前記第１の帯電手段と逆極性の電圧を印加する転写手段と、前記転写手段の下流及び前記第１の帯電手段の上流に前記電子写真感光体に非接触に設置され、且つ、前記第１の帯電手段と同極性の電圧を印加する第２の帯電手段とを少なくとも有し、更に、前記転写手段から前記第１の帯電手段に到達する時間が０．４ｓｅｃ以下である電子写真装置である。
条件[1]  前記電子写真感光体の表面電位が−６００（Ｖ）の時に、前記露光手段に用いられる光源波長のレーザーを２．５μｓｅｃ露光し、露光から１８０ｍｓｅｃ後の前記電子写真感光体の表面電位を−４００（Ｖ）になるようにレーザー光量を調整し、前記−４００（Ｖ）となるレーザー光量を（Ａ）とする。
条件[2]  前記電子写真感光体の表面電位が−６００（Ｖ）の時に、レーザー光量（Ａ）を２．５μｓｅｃ露光し、９５ｍｓｅｃから１８３ｍｓｅｃの間の電位減衰を測定する。
【発明の効果】
【００２０】
熱または、放射線照射により形成された電荷輸送層を有する感光体を用いた場合に、トナーののり量が多い場合に、トナー画像先端部に発生する剥離放電により、トナー像を形成させた感光体の表面電位よりも＋帯電側に感光体に表面電位が形成される。本発明は、その先端部の電位が１次帯電手段を通過しても、他の領域との電位差を生じるために発生する画像メモリを改善し、画像不具合を生じない、高耐久な電子写真装置を提供することを特徴とする。
【発明を実施するための最良の形態】
【００２１】
本発明に用いる電子写真感光体は、以下に記載の条件[1]及び条件[2]で測定した電位減衰が３Ｖ以上２５Ｖ以下を満たす電子写真感光体である。
条件[1]  前記電子写真感光体の表面電位が−６００（Ｖ）の時に、前記露光手段に用いられる光源波長のレーザーを２．５μｓｅｃ露光し、露光から１８０ｍｓｅｃ後の前記電子写真感光体の表面電位を−４００（Ｖ）になるようにレーザー光量を調整する。前記−４００（Ｖ）となるレーザー光量を（Ａ）とする。
条件[2]  前記電子写真感光体の表面電位が−６００（Ｖ）の時に、レーザー光量（Ａ）を２．５μｓｅｃ露光し、９５ｍｓｅｃから１８３ｍｓｅｃの間の電位減衰を測定する。
【００２２】
感光体の感度としては、従来図１に示されるような光感度曲線において、（Ｉ）の領域の傾きが立っているものを高感度と表現されている。この曲線は以下のようにして作成される。感光体を一定の表面電位（Ｖｄ）に帯電させた後、ある光量（Ｙ）の光を照射し、その結果、感光体表面には減衰した電位（Ｖｌ）が保持される。ある光量（Ｙ）の光量を変化させ、それに対応して、感光体表面には減衰した電位が保持される。これを繰返し測定した結果、図１の曲線が形成される。
【００２３】
電子写真感光体によっては、図２に示すように表面電位が（Ｖｌ）まで減衰した後、光照射をしない場合でも表面電位（Ｖｌ）が徐々に下がる感光体がある。これは、感光体に存在するトラップに入ったキャリアが時間を経過することにより、抜け出すことにより生じる。硬化性樹脂を有する感光体においてはこの状況が顕著である。樹脂を硬化させる目的のために可塑性の樹脂と比較して、より高温の加熱を行う、光硬化を行う、電子線照射を行う等により、硬化性樹脂を含む層より下層の感光層に劣化を生じる場合がある。また、硬化性樹脂を含む層においても、未硬化に終わった樹脂成分、それ以外の硬化時に劣化した物質が、上記のトラップの要因の一つに挙げられると思われる。
【００２４】
トラップが存在すると、次サイクルの帯電、転写等の帯電、前露光手段よる除電等で感光体表面の帯電電位が変化する時に、トラップに捕獲されていたキャリアが抜け出し、感光体表面が不均一に帯電、除電することとなり、その、不均一領域が画像上不具合となる。
【００２５】
また、硬化性樹脂を含む層はその下層の領域で相溶させると、硬化が阻害されるため、明確な境界が存在するため、トラップ以外にも電荷の輸送を阻害する要因がある。
【００２６】
次に本発明における電位減衰の測定方法の概略を図８に示す。感光体６４は図示しない駆動モーターにより矢印方向に回転する。前露光手段６５は、感光体の残留電位を除去する。表面電位計６７は透明電極を有し、裏面より光を照射しつつ、電位を測定することが可能である。露光手段６８は、感光体の表面電位が所望の電位に達した際に、露光を行う。
【００２７】
本発明においては、感光体６４を回転方向に回転させ、前露光手段６５を発光させる。
【００２８】
帯電手段６６より、感光体の表面電位を−６００Ｖ以上に帯電させる。帯電部位が表面電位計６７に達した時点で感光体を停止する。感光体は暗減衰により、如々に電位が低下してゆくが、表面電位計６７は常時、表面電位を測定している。表面電位が−６００Ｖを通過した時に、表面電位計６７の後方から、露光手段６８より露光を行い、電位変化を表面電位計６７は測定していく。測定時間は光照射後６０ｍｓｅｃから２００ｍｓｅｃの間である。
【００２９】
感光体６４を回転させ、前露光手段６５を発光させ、感光体６４の表面に残存する電位を消去する。その後、表面電位計が測定していた電位を読取り、１８０ｍｓｅｃ後の電位が−４００Ｖになるまで、光量を変化させて同様なことを行う。露光手段の光量が決定した後、感光体表面を−６００Ｖ以上に帯電させ、−６００Ｖを通過した時点で、決定した
露光光量を感光体に照射し、照射後の感光体表面電位を測定する。その後、９５から１８３ｍｓｅｃの間の電位減衰量を読み取る。
【００３０】
次に本発明に用いる電子写真感光体の表面層について説明する。
【００３１】
電荷輸送層を最表面に用いる場合、電荷輸送層に高エネルギー線等を利用して、硬化、重合する樹脂、あるいはモノマー、更には正孔輸送機能を有する硬化、重合する樹脂あるいはモノマーを用いることが可能である。
【００３２】
電荷輸送層にバインダー樹脂を含有する場合、電荷輸送物質とバインダー樹脂の比率は質量％で、バインダー樹脂＋電荷輸送物質に対する電荷輸送物質の質量％が０．１％以上１００％以下が好ましく、より好ましくは１０％以上８０％以下である。
【００３３】
電荷輸送層の厚さは薄すぎると帯電能が保てず、厚すぎると残留電位が高くなりすぎるため適当な範囲にする必要がある。好ましくは５μｍ以上７０μｍ以下、より好ましくは１０μｍ以上３０μｍ以下である。
【００３４】
電荷輸送層中に含まれる電荷輸送物質の量は、質量％で好ましくは２０％以上１００％以下であり、より好ましくは３０％以上９０％以下である。
【００３５】
感光層を単層で用いる場合、電荷発生物質と電荷輸送物質を同一層内に含有する。電荷発生物質及び電荷輸送物質の具体例は、後述の積層感光体の場合と同様である。同様に放射線を利用して、硬化、重合する樹脂、あるいはモノマー、更には正孔輸送機能を有する硬化、重合する樹脂あるいはモノマーを用いることが可能である。
【００３６】
単層感光層は８μｍ以上４０μｍ以下の厚さが好ましく、より好ましくは１２μｍ以上３０μｍ以下である。電荷発生物質や電荷輸送物質等の光導電性材料を好ましくは２０質量％以上１００質量％以下含有するが、より好ましくは３０質量％以上９０質量％以下である。
【００３７】
本発明に用いる電子写真感光体の最表面に該当する層は、電荷輸送機能を有していても、有していなくてもよいが、硬化性樹脂を含有する層であることがより好ましい。このような表面層は、本技術分野公知の方法により形成させればよい。例えば、硬化性樹脂やそのモノマー等の硬化性の材料の溶液または分散液を支持体上に形成された層の上に塗布し、所定の条件において硬化性樹脂を生成させることによって形成させる方法などが挙げられる。
【００３８】
本発明に用いる電子写真感光体の表面層に用いる硬化性樹脂は、アクリル系樹脂、フェノール系樹脂、エポキシ系樹脂、シリコーン系樹脂及びウレタン系樹脂からなる群より選択される少なくとも一種類であることが好ましい。
【００３９】
また、これら硬化性樹脂は、電荷輸送機能を有する硬化性樹脂の硬化物であることが好ましい。また、重合性官能基を有する正孔輸送性化合物を加熱及び／または放射線の照射により重合及び／または架橋することにより、正孔輸送性化合物を含有する化合物やこの化合物を有する溶液、分散液等の組成物を硬化して得られたものであることがより好ましい。
【００４０】
この正孔輸送性化合物は、同一分子内に二つ以上の連鎖重合性官能基を有する正孔輸送性化合物であることが好ましい。この正孔輸送性化合物は、上述の重合性官能基が重合する条件によって、重合させて、正孔輸送性化合物の組成物を硬化させればよい。このような重合条件には、加熱や放射線の照射等の公知の条件が挙げられる。重合に用い得る放射線は、好ましくは、電子線である。正孔輸送性化合物を有する組成物を硬化させるには、加熱する熱量、照射する放射線、または電子線の強度を適宜調整すればよい。更に、温度や酸素濃度等を適宜調整して組成物を硬化させてもよい。
【００４１】
上述の重合性官能基を有する正孔輸送性化合物は、本技術分野公知の種々の正孔輸送性化合物であればよい。
【００４２】
また、単層及び積層のどちらの場合においても、感光層の上層に保護層を設けてもよい。この場合、保護層が表面層となる。保護層は、電子写真感光体に加えられる機械的、電気的、または化学的な負荷から感光層を保護する目的で、感光体の表面を構成するように、種々の層の最も上に形成される層である。この保護層は、上述した表面層の形成と同様に、放射線などの高エネルギー線等により、硬化・重合する樹脂若しくは単重合体、または正孔輸送機能を有するこれらの樹脂若しくは単重合体で形成されてもよい。保護層の層厚は０．０１μｍ以上１０μｍ以下であることが好ましく、より好ましくは０．１μｍ以上７μｍ以下である。
【００４３】
更に、保護層中に金属及びその酸化物、窒化物、塩、合金やカーボン等の導電性材料を含有してもよい。その様な金属種としては、鉄、銅、金、銀、鉛、亜鉛、ニッケル、スズ、アルミニウム、チタン、アンチモン、インジウムなどが挙げられ、具体的には、ＩＴＯ、ＴｉＯ２、ＺｎＯ、ＳｎＯ２、Ａｌ２Ｏ３などが使用可能である。導電性材料は微粒子状のものを保護層中に分散させるが、その粒子径は好ましくは０．００１μｍ以上５μｍ以下、より好ましくは０．０１μｍ以上１μｍ以下のものが用いられる。その保護層への添加量は、好ましくは１質量％以上７０質量％以下、より好ましくは５質量％以上５０質量％以下である。分散剤としてチタンカップリング剤、シランカップリング剤、各種界面活性などを用いてもよい。
【００４４】
次に、本発明に用いる電子写真感光体について、表面層以外の層も含めて更に詳しく説明する。
【００４５】
上述のとおり、本発明に用いる電子写真感光体は、導電性支持体（円筒状導電性支持体）及び該導電性支持体（該円筒状導電性支持体）上に設けられた有機感光層（以下単に「感光層」ともいう）を有する円筒状電子写真感光体である。
【００４６】
感光層は、電荷輸送物質と電荷発生物質を同一の層に含有する単層型感光層であっても、電荷発生物質を含有する電荷発生層と電荷輸送物質を含有する電荷輸送層とに分離した積層型（機能分離型）感光層であってもよい。電子写真特性の観点からは積層型感光層が好ましい。また、積層型感光層には、導電性支持体側から電荷発生層、電荷輸送層の順に積層した順層型感光層と、導電性支持体側から電荷輸送層、電荷発生層の順に積層した逆層型感光層があるが、電子写真特性の観点からは順層型感光層が好ましい。また、電荷発生層を積層構造としてもよく、また、電荷輸送層を積層構成としてもよい。
【００４７】
図３−１乃至図３−４に本発明に用いる電子写真感光体の層構成の例を示す。
【００４８】
図３−１に示される層構成の電子写真感光体は、導電性支持体６４上に電荷発生物質を含有する層（電荷発生層）６５、電荷輸送物質を含有する層（電荷輸送層）６６、表面層６７が設けられている。
【００４９】
図３−２に示される層構成の電子写真感光体は、導電性支持体６４の上に電荷発生物質と電荷輸送物質を含有する６８、表面層６７が設けられている。
【００５０】
図３−３に示される層構成の電子写真感光体は、導電性支持体６４上に導電性支持体からのキャリア注入防止機能、接着機能、干渉縞防止、導電性支持体の欠陥被覆機能の何れか、もしくは、複数の機能を有する中間層６９が設けられている。中間層上に電荷発生物質を含有する層（電荷発生層）６５、電荷輸送物質を含有する層（電荷輸送層）６６、表面層６７が設けられている。
図３−４に示される、層構成の電子写真感光体は、導電性支持体６４上に導電性支持体からのキャリア注入防止機能、接着機能、干渉縞防止の何れかの機能、もしくは、複数の機能を有する第１中間層６９−１、第２中間層６９−２が設けられている。第２中間層上に電荷発生物質を含有する層（電荷発生層）６５、電荷輸送物質を含有する層（電荷輸送層）６６、表面層６７が設けられている。
【００５１】
支持体としては、導電性を示すもの（導電性支持体）であればよく、例えば、鉄、銅、金、銀、アルミニウム、亜鉛、チタン、鉛、ニッケル、スズ、アンチモン、インジウムなどの金属製の支持体を用いることができる。また、アルミニウム、アルミニウム合金、酸化インジウム−酸化スズ合金などを真空蒸着によって被膜形成した層を有する上記金属製支持体やプラスチック製支持体を用いることもできる。また、カーボンブラック、酸化スズ粒子、酸化チタン粒子、銀粒子などの導電性粒子を適当な結着樹脂と共にプラスチックや紙に含浸した支持体や、導電性結着樹脂を有するプラスチック製の支持体などを用いることもできる。
【００５２】
また、支持体の表面は、レーザー光などの散乱による干渉縞の防止などを目的として、切削処理、粗面化処理、アルマイト処理などを施してもよい。
【００５３】
上述のとおり、支持体と感光層（電荷発生層、電荷輸送層）または後述の中間層との間には、レーザー光などの散乱による干渉縞の防止や、支持体の傷の被覆を目的とした導電層を設けてもよい。
【００５４】
導電層は、カーボンブラック、金属粒子、金属酸化物粒子などの導電性粒子を結着樹脂に分散させて形成することができる。
【００５５】
導電層の膜厚は、１μｍ以上４０μｍ以下であることが好ましく、特には２μｍ以上２０μｍ以下であることがより好ましい。
【００５６】
また、上述のとおり、支持体または導電層と感光層（電荷発生層、電荷輸送層）との間には、バリア機能や接着機能を有する中間層を設けてもよい。中間層は、感光層の接着性改良、塗工性改良、支持体からの電荷注入性改良、感光層の電気的破壊に対する保護などのために形成される。
【００５７】
中間層は、主に、以下の結着樹脂を用いて形成することができる。ポリエステル樹脂。ポリウレタン樹脂。ポリアクリレート樹脂。ポリエチレン樹脂。ポリスチレン樹脂。ポリブタジエン樹脂。ポリカーボネート樹脂。ポリアミド樹脂。ポリプロピレン樹脂。ポリイミド樹脂。フェノール樹脂。アクリル樹脂。シリコーン樹脂。エポキシ樹脂。ユリア樹脂。アリル樹脂。アルキッド樹脂。ポリアミド−イミド樹脂。ナイロン樹脂。ポリサルフォン樹脂。ポリアリルエーテル樹脂。ポリアセタール樹脂。ブチラール樹脂。また、中間層には、金属もしくは合金またはこれらの酸化物、塩類、界面活性剤などを含有させてもよい。
【００５８】
中間層の膜厚は０．０５μｍ以上７μｍ以下であることが好ましく、更には０．１μｍ以上２μｍ以下であることがより好ましい。
【００５９】
本発明に用いる電子写真感光体に用いられる電荷発生物質としては、例えば、以下の化合物が挙げられる。セレン−テルル。ピリリウム、チアピリリウム系染料。各種の中心金属及び各種の結晶系（α、β、γ、ε、Ｘ型など）を有するフタロシアニン顔料。アントアントロン顔料。ジベンズピレンキノン顔料。ピラントロン顔料。モノアゾ、ジスアゾ、トリスアゾなどのアゾ顔料。インジゴ顔料。キナクリドン顔料。非対称キノシアニン顔料。キノシアニン顔料。アモルファスシリコン。これら電荷発生物質は１種のみ用いてもよく、２種以上用いてもよい。
【００６０】
本発明に用いる電子写真感光体に用いられる電荷輸送物質としては、上記の連鎖重合性官能基を有する正孔輸送性化合物以外に、例えば、以下のものが挙げられる。ピレン化合物。Ｎ−アルキルカルバゾール化合物。ヒドラゾン化合物。Ｎ，Ｎ−ジアルキルアニリン化合物。ジフェニルアミン化合物。トリフェニルアミン化合物。トリフェニルメタン化合物。ピラゾリン化合物。スチリル化合物。スチルベン化合物。
【００６１】
感光層を電荷発生層と電荷輸送層とに機能分離する場合、電荷発生層は、電荷発生物質を結着樹脂及び溶剤と共に分散することによって得られる電荷発生層用塗布液を塗布し、これを乾燥させることによって形成することができる。分散方法としては、ホモジナイザー、超音波分散機、ボールミル、振動ボールミル、サンドミル、ロールミル、アトライター、液衝突型高速分散機などを用いた方法が挙げられる。電荷発生層中の電荷発生物質の割合は、結着樹脂と電荷発生物質との合計質量に対して０．１質量％以上１００質量％以下であることが好ましく、更には１０質量％以上８０質量％以下であることがより好ましい。また、電荷発生層全質量に対しては１０質量％以上１００質量％以下であることが好ましく、更には５０質量％以上１００質量％以下であることがより好ましい。なお、上記電荷発生物質を単独で蒸着法などにより成膜し、電荷発生層とすることもできる。
【００６２】
電荷発生層の膜厚は０．００１μｍ以上６μｍ以下であることが好ましく、更には０．０１μｍ以上２μｍ以下であることがより好ましい。
【００６３】
感光層を電荷発生層と電荷輸送層とに機能分離する場合、電荷輸送層、特に電子写真感光体の表面層でない電荷輸送層は、電荷輸送物質と結着樹脂を溶剤に溶解させることによって得られる電荷輸送層用塗布液を塗布する。その後これを乾燥させることによって形成することができる。また、上記電荷輸送物質のうち単独で成膜性を有するものは、結着樹脂を用いずにそれ単独で成膜し、電荷輸送層とすることもできる。電荷輸送層中の電荷輸送物質の割合は、結着樹脂と電荷輸送物質との合計質量に対して０．１質量％以上１００質量％以下であることが好ましく、更には１０質量％以上８０質量％以下であることがより好ましい。また、電荷輸送層全質量に対しては２０質量％以上１００質量％以下であることが好ましく、更には３０質量％以上９０質量％であることが好ましい。
【００６４】
電荷輸送層、特に電子写真感光体の表面層でない電荷輸送層の膜厚は５μｍ以上７０μｍであることが好ましく、更には１０μｍ以上３０μｍ以下であることがより好ましい。電荷輸送層の膜厚が薄すぎると帯電能を保ちにくく、厚すぎると残留電位が高くなる傾向にある。
【００６５】
電荷輸送物質と電荷発生物質を同一の層に含有させる場合、該層は、上記電荷発生物質及び上記電荷輸送物質を結着樹脂及び溶剤と共に分散して得られる該層用の塗布液を塗布し、乾燥することによって形成することができる。また、該層の膜厚は８μｍ以上４０μｍ以下であることが好ましく、更には１２μｍ以上３０μｍ以下であることがより好ましい。また、該層中の光導電性物質（電荷発生物質及び電荷輸送物質）の割合は、該層全質量に対して２０質量％以上１００質量％であることが好ましく、更には３０質量％以上９０質量％以下であることがより好ましい。
【００６６】
感光層（電荷輸送層、電荷発生層）には、例えば、以下の結着樹脂が用いられる。アクリル樹脂。アリル樹脂。アルキッド樹脂。エポキシ樹脂。シリコーン樹脂。フェノール樹脂。ブチラール樹脂。ベンザール樹脂。ポリアクリレート樹脂。ポリアセタール樹脂。ポリアミド−イミド樹脂。ポリアミド樹脂。ポリアリルエーテル樹脂。ポリアリレート樹脂。ポリイミド樹脂。ポリウレタン樹脂。ポリエステル樹脂。ポリエチレン樹脂。ポリカーボネート樹脂。ポリサルフォン樹脂。ポリスチレン樹脂。ポリブタジエン樹脂。ポリプロピレン樹脂。ユリア樹脂。これらは単独、混合または共重合体として１種または２種以上用いることができる。
【００６７】
また、感光層上には、該感光層を保護することを目的として、保護層を設けてもよい。保護層の膜厚は０．０１μｍ以上１０μｍ以下であることが好ましく、更には０．１μｍ以上７μｍ以下であることがより好ましい。保護層には、加熱や放射線の照射により硬化重合する硬化性樹脂などを用いることが好ましい。該硬化性樹脂の樹脂モノマーとしては、連鎖重合性官能基を有する樹脂モノマーが好ましい。また、保護層には、金属及びその酸化物、窒化物、塩、合金ならびにカーボンブラックなどの導電性材料を含有させてもよい。金属としては、鉄、銅、金、銀、鉛、亜鉛、ニッケル、スズ、アルミニウム、チタン、アンチモン、インジウムなどが挙げられる。より具体的には、ＩＴＯ、ＴｉＯ２、ＺｎＯ、ＳｎＯ２、Ａｌ２Ｏ３などを用いることができる。導電性材料は粒子状のものを保護層に分散含有させることが好ましく、その粒径は０．００１μｍ以上５μｍ以下であることが好ましく、更には０．０１μｍ以上１μｍ以下であることが好ましい。保護層中の導電性材料の割合は、保護層全質量に対して１質量％以上７０質量％以下であることが好ましく、更には５質量％以上５０質量％以下であることが好ましい。これらの分散剤としてチタンカップリング剤、シランカップリング剤、各種界面活性などを用いることもできる。
【００６８】
また、上記の電子写真感光体を構成する各層には、酸化防止剤や光劣化防止剤などを添加してもよい。また、電子写真感光体の表面層には、電子写真感光体の周面の潤滑性や撥水性を向上させることを目的として、各種のフッ素化合物、シラン化合物、金属酸化物などを添加してもよい。また、これらを粒子状のものとして保護層に分散含有させることもできる。また、これらの分散剤として界面活性剤などを用いることもできる。電子写真感光体の表面層中の上記各種添加剤の割合は、表面層全質量に対して１質量％以上７０質量％以下であることが好ましく、更には５質量％以上５０質量％以下であることがより好ましい。
【００６９】
本発明に用いる電子写真感光体の各層の形成方法には、蒸着法や塗布法などの各種方法を採用することが可能であるが、これらの中でも塗布法が最も好ましい。塗布法は、薄膜の層から厚膜の層まで、さまざまな組成の層が形成可能である。具体的には、バーコーター、ナイフコーター、ロールコーター及びアトライターを用いた塗布法や、浸漬塗布法や、スプレーコーティング法や、ビームコーティング法や、静電塗布法や、粉体塗布法などが挙げられる。
【００７０】
本発明の電子写真装置は、第１の帯電手段と、露光手段と、現像手段と、前記第１の帯電手段と逆極性の電圧を印加する転写手段とを少なくとも有する。更に、前記転写手段の下流及び前記第１の帯電手段の上流に前記電子写真感光体に非接触に設置され、且つ、前記第１の帯電手段と同極性の電圧を印加する第２の帯電手段とを少なくとも有する。更に、前記転写手段から前記第１の帯電手段に到達する時間が０．４ｓｅｃ以下である。
【００７１】
次に図４において、本発明の電子写真装置の概略構成の１例を示す。図４はカラートナーと中間転写体を用いる電子写真装置であり、最上流の１ユニットについて説明する。
【００７２】
感光体１ａは矢印方向に回転し、感光体１ａが回転を始めた後、前露光手段２ａを点灯し、感光体１ａの表面電位を均一にする。次いで、帯電手段（第１の帯電手段）３ａに電圧を印加し、感光体１ａを所望の電位まで帯電させる。次いで、露光手段４ａにより、画像に対応した露光を照射し、感光体１ａに潜像を形成させる。次いで、現像手段５ａにより、潜像を現像し可視化する。次いで、１次転写手段６ａにより、感光体表面に現像された画像に対応したトナー像を中間転写体７に転写する。１次転写により、感光体表面には転写されなかったトナーが残存し、感光体表面の電位としては、トナー像のあった領域、無い領域で、１次転写手段より受けた電位に差があり、電位差を生じている。本発明に用いる帯電手段（第２の帯電手段）８ａにより、感光体表面の電位差を減少させる。次いで、クリーニング手段９ａ内のクリーニングブレードにより、感光体表面に残存したトナーが除去される。次いで、前露光手段２ａにより感光体表面に残存している電位を減少させる。以上のようにプロセスが行われ、画像形成が終了するまで繰り返される。
【００７３】
一方、転写されたトナー像は、中間転写体７が矢印方向に移動しているので、下流のユニット方向に移動する。下流のユニットでも同様にトナー像が形成され、１次転写手段６ｂ、６ｃ、６ｄに上流のトナー像が移動してきた際にトナー画像が重ね合わされ、転写手段６ｄを通過した時点で４色の色トナーが重ねあわされ、カラー画像が形成される。なお、下流に行くに従い、１次転写手段６ｂ、６ｃ、６ｄは、１次転写手段６ａよりもトナーののり量が多いため、順次、転写電流は大きくなっている。形成されたカラー画像は、２次転写手段１１に移動した際に、紙カセット１０より引き出された転写紙上に転写される。次いで、定着手段１２を通過し、カラー画像が転写紙上に定着され、トレイ１３上に置かれる。以上のようにして画像が形成される。
【００７４】
次に図６に本発明の電子写真装置の概略構成の他の１例を示す。図６はカラートナーと転写ベルト２９を用いる電子写真装置である。転写ベルト２９上に、紙カセット３４より転写紙が供給され、転写紙上に直接、トナー像が形成され、４色重ね合わせてカラー像が形成されるプロセスが図４と異なるところである。次いで、定着手段３５を通過することにより転写紙上にカラー画像が形成され、トレイ３６上に転写紙が置かれる。
【００７５】
次に図７−１に本発明の電子写真装置の概略構成の他の１例を示す。感光体３７に画像を形成するプロセスは図４と同様である。が、感光体が単数であるため以下のプロセスが異なる。１色の画像形成が終了した後、現像ユニット４１が矢印方向に回転し、異なる色のトナー像を感光体３７上に形成する。次いで、形成されたトナー像は中間転写体４２上に１次転写手段４２−１に電圧を印加することにより転写される。
【００７６】
中間転写体上に形成されたトナー像が２次転写されないように、テンションローラ４３ｂ及び２次転写手段４６は離間している。次いで、４色のトナー像が重なりカラー画像が形成された後、紙カセット４７より引き出された転写紙上が、２次転写手段の位置に送られるのと同期し、２次転写手段４６が圧接され、転写紙上にカラー像が転写される。次いで、定着手段４８に転写紙が送られ、カラー像が転写紙に定着され、トレイ４９に転写紙が送られる。
【００７７】
次に図７−２に本発明の電子写真装置の概略構成の他の１例を示す。図７−２はカラートナーと転写体５５を用いる電子写真装置である。転写体５５上に、紙カセット６３より転写紙が供給され、吸着ローラ５６により、転写紙が、転写体に吸着する。転写紙上に直接、トナー像が形成され、４色重ね合わせてカラー像が形成されるプロセスが図７−１と異なるところである。次いで、定着手段６１を通過することにより転写紙上にカラー画像が形成され、トレイ６２上に転写紙が置かれる。
【００７８】
次に、図５−１〜５−４に本発明の電子写真装置の感光体近傍の構成ついて、詳細に説明する。
【００７９】
図５−１は、感光体１５の近傍には帯電手段（第１の帯電手段）１６、露光手段１７、現像手段１８、中間転写体１９、１次転写手段２０、本発明に用いる帯電手段（第２の帯電手段）２１、クリーニング手段２２、前露光手段２３が配置されている。
【００８０】
帯電手段１６として用いられる物は、コロナ帯電、ローラ帯電等が挙げられる。感光体の帯電電位としては、２００Ｖ以上１５００Ｖ以下が好ましく、４００Ｖ以上９００Ｖ以下がより好ましい。
【００８１】
コロナ帯電は、コロトロン、スコロトロン何れでも良い。有機感光体の場合は負帯電が主流なのでスコロトロンの方がグリッドにより帯電が安定するのでより好ましい。スコロトロンの場合は、主に、枠体、グリッド、ワイヤで構成される。コロナ帯電は、オゾン、ＮＯｘが発生するため、枠体に錆、もしくは、変色が発生しやすい。そのため、材質としてはステンレス鋼が好ましい。グリッドは、ワイヤ、パターン化された形状の穴の大きさを有した板状のものが好ましい。画像の均一性からは後者の方が望ましい。穴の大きさが小さい方が画像均一性が良好であるが必要な電源容量は大きくなる。グリッドは、枠体と同様に錆、もしくは、変色が発生しやすいのでステンレス鋼が好ましい。また、グリッド表面には錆防止剤を塗布しても良い。
【００８２】
ローラ帯電は、コロナ帯電と比較してオゾンの発生量が小さく、電源も小型化されるので、広く使用されている。帯電方式としては、ＤＣ帯電、ＡＣ帯電にＤＣ帯電を重畳させた物が好ましい。感光体の帯電電位としては、２００Ｖ以上１５００Ｖ以下が好ましく、４００Ｖ以上９００Ｖ以下がより好ましい。
【００８３】
ＤＣ帯電は印加される電圧が低いので感光体に対する負荷が小さいため、感光体表面の削れ量が少なくて好ましいが、ローラ表層の汚れが画像として現われる欠点がある。
【００８４】
ＡＣ帯電にＤＣ帯電を重畳させる方式は、ＤＣ帯電と比較して汚れに対して強いが、帯電に要する電圧が高いため、感光体に削れ量が増加する欠点がある。また、感光体が使用されることにより、膜厚が減少すると、必要な電位を確保するためにより高電圧が必要になり、感光体の削れ量が更に増加する。
【００８５】
露光手段としては、レーザーまたは、ＬＥＤが好ましい。レーザーの場合は、感光体の分光感度により異なるが、赤外（波長は７７８ｎｍ）、可視（６７０、６５０ｎｍ）等が好ましい。レーザーの１ドットの大きさは、主走査と副走査で大きさが同じでも異なっていても良い。
【００８６】
高画質化を目指す場合は可視光を用いた方がドット径を小さくすることが可能なため、好ましい。
【００８７】
ＬＥＤの場合は、レーザーよりもドットの大きさを小さくできることが可能であるが、個々の発光バラツキを抑える、バラツキの目立たない光量を用いる等の工夫が必要である。
【００８８】
現像手段１８には、にＤＣ電圧、または、ＡＣ電圧にＤＣ電圧を重畳した電圧を印加した現像ローラ１８−１、剤攪拌手段１８−３が含まれている。剤攪拌手段１８−３は、現像剤がスラスト方向で量的に均一になるために図示しない方向で回転している。
【００８９】
現像剤はトナー単体である１成分とトナー及びキャリアからなる２成分の現像剤の何れでも良い。トナーは３μｍから１０μｍの粒径が用いられる。キャリアは平均粒径が１０μｍ以上１００μｍ以下、飽和磁化が２０ｅｍｕ／ｃｍ３以上２５０ｅｍｕ／ｃｍ３以下、抵抗が１×１０２Ω・ｃｍ以上１×１０１０Ω・ｃｍ以下のものが好ましい。
【００９０】
トナーには帯電を安定させるために帯電制御剤、感光体表面を研磨する研磨剤、着色剤、等を含んでも良い。現像剤はトナー単体の場合は磁性体を含んでも良い。トナー（Ｔ）とキャリア（Ｃ）からなる２成分の現像剤の場合、その比率Ｔ／（Ｔ＋Ｃ）は３質量％以上１２質量％以下、好ましくは４．５質量％以上８．５質量％以下が好ましい。
【００９１】
現像ローラ１８−１に印加されるＡＣ電圧は、周波数、ピークｔｏピーク電圧により、現像効率が変わるため、最適化することが好ましい。また、現像剤が２成分の場合は、ローラ内部に磁性体を有し、その極性、位置を適宜決定することにより、現像ローラ上にキャリアによる穂を形成させたり、消失させる。
【００９２】
中間転写体１９は、１次転写手段２０が、その裏面より高圧を印加することにより、少なくとも表面は導電性であることが好ましい。抵抗値としては、１０３Ω・ｃｍ以上１０１４Ω・ｃｍ以下が好ましく、１０５Ω・ｃｍ以上１０１２Ω・ｃｍ以下がより好ましい。
【００９３】
材質は、ポリイミド、ポリカーボ、ポリエステル、ポリプロピレン等の樹脂または各種ゴムにカーボンブラック等を適当量含有させることが望ましい。層構成は単層、積層どちらでも良い。表面に導電性物質、転写効率を上げるための離形性を向上させる添加物等を分散させるためには、積層させることが望ましい。
【００９４】
また、中間転写体上に残存したトナーを清掃する部材を設けても良い。また、転写効率向上のために中間転写体表面を研磨する手段を設けても良い。
【００９５】
１次転写手段２０には、ローラ、コロナ、ブレード、ブラシ等の手段により１次帯電手段と逆極性の帯電が行われる。ローラ、ブレード等、中間転写体に接触する手段の場合、設定圧は０．５ｇ／ｃｍ以上１００ｇ／ｃｍ以下が好ましく、５ｇ／ｃｍ以上５０ｇ／ｃｍ以下がより好ましい。
【００９６】
本発明に用いる帯電手段（第２の帯電手段）２１は、１次転写手段の印加により発生した感光体に生じる急激な電位差を減少させることを目的としている。帯電としては、ＤＣ帯電、ＡＣ帯電、ＡＣ及びＤＣを重畳した帯電、が好ましい。特に、帯電手段（第１の帯電手段）１６と同極性の帯電が好ましい。
【００９７】
帯電方法としては、１次転写手段でも転写されないトナーが若干介在している関係で非接触帯電が好ましく、コロナ帯電、感光体との間隔を規定できるローラ帯電が好ましい。
【００９８】
コロナ帯電方式の場合、−２０００μＡ乃至０乃至１０００μＡが好ましく、−１０００μＡ乃至−１００μＡ及び１０乃至５００μＡがより好ましい。
【００９９】
非接触のローラ帯電の場合は、−３５０μＡ乃至０乃至２００μＡが好ましく、−２００乃至−７５μＡ及び５乃至１５０μＡがより好ましい。
【０１００】
トナーののり量は、２５μｍ以上であれば、本発明に用いる帯電手段が印加されることが望ましい。トナーののり量が増加するに従い、帯電手段の出力を上げるほうが望ましい。
【０１０１】
感光体が複数で構成されている場合は、下流側の本発明に用いる帯電手段の出力値は高いほうが好ましい。
【０１０２】
トナー画像中の最大画像濃度を検知して、帯電出力を制御しても良い。例えば、各色のトナー画像を形成させる露光量を読取り、積算し、最終的な画像の露光量の積算値から、トナー画像のり量を予測し、のり量が規定値（例えば、前述の２５μｍ以上）を超える場合に出力を行うようにすればよい。複数のトナーが形成されている場合に、規定値を超えた場合に本発明に用いる帯電手段を出力させることが好ましい。
【０１０３】
また、本発明における画像不具合は、通紙枚数が増加することにより悪化する傾向があるため、通紙枚数を記憶し、出力を制御することが望ましい。
【０１０４】
また、本発明で測定する電位減衰は、本発明における数値範囲内にあるが、初期においては、上記不具合が発生しない場合もある。が、通紙を継続的に行うことにより、画像不具合が発生する場合がある。その場合は、通紙が継続されている途中で本発明に用いる帯電手段を印加することが望ましい。
【０１０５】
クリーニング手段２２は、主に、枠体、クリーニングブレード２２−１、廃トナー送り手段２２−２、廃トナー飛散防止シート２２−３で構成されていおり、クリーニングブレード２２−１で除去された廃トナーが枠体下部に堆積する。
【０１０６】
クリーニングブレードが感光体に圧接する加圧力であるが、０．８ｇ／ｃｍ以上５５ｇ／ｃｍ以下が好ましく、１．３ｇ／ｃｍ以上４０ｇ／ｃｍ以下がより好ましい。加圧方法は、クリーニングブレードの侵入量を規定する方法、バネを用いる方法等あるが、バネを用いた方法が、荷重が均一化されるので好ましい。
【０１０７】
クリーニングブレードの材質は、ポリウレタンが好ましい。
【０１０８】
クリーニングブレードの硬度は２３℃、４０％ＲＨ以上６０％ＲＨ以下の環境下で５５°以上８５°以下が好ましく、より好適には、６５°以上８０°以下が好ましい。クリーニングブレードの反発弾性は、クリーニングブレードの厚さは０．５ｍｍ以上５ｍｍ以下が好ましく、より好適には１ｍｍ以上３．５ｍｍ以下が好ましい。
【０１０９】
廃トナー送り手段２２−２は、回転し、クリーニング手段２２内に堆積する廃トナーを例えば、図面上の奥側に送り、図示しない廃トナー容器に送るための走路に送り込んでいる。
【０１１０】
廃トナーを送る目的を効率よく行うために、形状をスパイラル状にする、羽根をつける等行うことが良い。
【０１１１】
廃トナー飛散防止シート２２−３は枠体下部に堆積した廃トナーが漏れないように感光体１５に接触している。硬度が硬いと感光体表面に傷を発生させる要因となるため、材質、厚さ、侵入量を考慮する必要がある。
【０１１２】
材質としては、例えば、以下の樹脂が挙げられる。アクリル樹脂。アリル樹脂。アルキッド樹脂。エポキシ樹脂。シリコーン樹脂。フェノール樹脂。ブチラール樹脂。ベンザール樹脂。ポリアクリレート樹脂。ポリアセタール樹脂。ポリアミド−イミド樹脂。ポリアミド樹脂。ポリアリルエーテル樹脂。ポリアリレート樹脂。ポリイミド樹脂。ポリウレタン樹脂。ポリエステル樹脂。ポリエチレン樹脂。ポリカーボネート樹脂。ポリサルフォン樹脂。ポリスチレン樹脂。ポリブタジエン樹脂。ポリプロピレン樹脂。ユリア樹脂。これらは単独、混合または共重合体として１種または２種以上用いることができる。ポリアリレート樹脂、ポリウレタン樹脂、ポリエステル樹脂、ポリエチレン樹脂、ポリカーボネート樹脂等が特に好ましい。
【０１１３】
厚さは、０．０５ｍｍ以上２ｍｍ以下が好ましく、０．１ｍｍ以上１ｍｍ以下がより好ましい。
【０１１４】
前露光手段２３は、ハロゲンランプ、ＬＥＤ等が用いられる。波長は、感光体の感度領域、及び、光疲労領域を考慮して詮索され、４００ｎｍ以上８００ｎｍ以下の範囲が好ましい。光量としは、感光体の帯電電位を半減させる光量（以下半減露光量と称す）の１倍以上２５倍以下が好ましく、４倍以上１５倍以下がより好ましい。
【０１１５】
図５−２は、本発明の電子写真装置の感光体近傍の構成の他の１例である。図５−１に対してクリーニングブラシ２２−４を追加している。感光体１５表面に残存するトナーを除去することが目的である。トナー形状が球形化すると、ブレードのみでは、感光体に付着するトナーの除去が困難となるため、ブラシを用いることは非常に有効である。
【０１１６】
導電性ブラシの材質としては、アクリル、ナイロン、アラミド、ポリプロピレン、ポリ塩化ビニルポリエステル、ポリブチレンテレフタレート、ポリフェニレンサルファイド等が好ましい。アクリル、ナイロン、アラミド等がより好ましい。
【０１１７】
抵抗値としては、１００Ω・ｃｍ以上１０９Ω・ｃｍ以下が好ましく、１００Ω・ｃｍ以上１０６Ω・ｃｍ以下がより好ましい。
【０１１８】
ブラシの太さは、細いと掻き取り効果が少ないため太いほうが望ましいが、太すぎると、単位面積当りの本数が減少するためやはり掻き取り効果が低くなる。よって、好ましい太さは０．１１ｍｇ／ｍ以上２．２２ｍｇ／ｍ以下であり、より好ましくは０．２２ｍｇ／ｍ以上１．３３ｍｇ／ｍ以下である。
【０１１９】
更に単位面積当りの本数は少ない場合、掻き取り効果が低く、多すぎる場合は、穂の間にトナーが挟まり掻き取り効果が低くなる。また、穂の太さにより単位面積当りの本数は制限される。従って好ましい本数としては、５０Ｆ／ｍｍ２以上５００Ｆ／ｍｍ２以下であり、より好ましくは、１００Ｆ／ｍｍ２以上３５０Ｆ／ｍｍ２以下である。
【０１２０】
導電性ブラシの穂長は、短い方が見掛け上腰が強くなり、長くなるにつれ腰が弱くなり、除去効果が弱くなる。また短すぎると、感光体１５の回転振れで接触ムラを生じ、トナー除去効果が全面均一に行われなくなる可能性がある。更に通常所望の長さまで先端を刈り込み、穂長を調整するが、穂長が長い場合、刈り込み時に長さにムラを生じる可能性がある。従って、好ましい穂長は１ｍｍ以上１０ｍｍ以下であり、より好ましくは、３ｍｍ以上７ｍｍ以下である。
【０１２１】
クリーニングブラシ２２−４は図示のようにアースに接地されている。が、感光体１５上のトナー除去する効果をあげる、均一にトナーを帯電させて、クリーニングブレードで除去し易いようにする、等の目的で、電圧を印加しても良い。電圧の印加に関しては、ＡＣを印加することにより、トナーの帯電極性を弱めることが可能になると思われる。更にＡＣ電圧にＤＣ電圧を重畳することにより、トナーの帯電が均一化され、感光体から容易にトナーが除去できると思われる。
【０１２２】
図５−３は、本発明の電子写真装置の感光体近傍の構成の他の１例である。図５−１において、前露光手段２３を省いた構成である。帯電手段１６（第１の帯電手段）が、ローラによる接触帯電で、且つ、印加電圧がＡＣ電圧でＤＣ電圧を重畳した物である場合、感光体１５の表面電位の制御性が良いため、前露光手段を省いても、所望の特性が得られる場合があるからである。
【０１２３】
図５−４は、本発明の電子写真装置の感光体近傍の構成の他の１例である。図５−３において、更にクリーニング手段２２を省いた構成である。転写手段２０により、感光体１５上に形成されたトナー像が中間転写体１９に略１００％転写され、クリーニング手段を用いなくても良い場合の構成である。
【実施例】
【０１２４】
次に、本発明を実施例により詳細に説明する。ただし、本発明はこれらの実施例に限定されるものではない。なお、実施例中の「部」は「質量部」を意味する。
【０１２５】
［実施例１］
実施例１に用いる電子写真感光体を以下の通りに作製した。
【０１２６】
まず、ＪＩＳ  Ａ３００３アルミニウム合金を用いて、長さ３７０ｍｍ、外径８４ｍｍ、肉厚３ｍｍのアルミニウムシリンダーを切削加工により作製した。
【０１２７】
作製したアルミニウムシリンダーの表面（周面）の母線方向に掃引して測定した十点平均粗さＲｚｊｉｓは０．０８μｍであった。
【０１２８】
このアルミニウムシリンダーを純水に洗剤（商品名：ケミコールＣＴ、常盤化学（株）製）を含有させた洗浄液中で超音波洗浄を行い、続いて洗浄液を洗い流した後、更に純水中で超音波洗浄を行って脱脂処理し、これを支持体（円筒状支持体）とした。
【０１２９】
次に、アンチモンをドープした酸化スズの被覆膜を有する酸化チタン粒子（商品名：クロノスＥＣＴ−６２、チタン工業（株）製）６０部、
酸化チタン粒子（商品名：ｔｉｔｏｎｅ  ＳＲ−１Ｔ、堺化学（株）製）６０部、
レゾール型フェノール樹脂（商品名：フェノライトＪ−３２５、大日本インキ化学工業（株）製、固形分７０質量％）７０部、
２−メトキシ−１−プロパノール５０部
及びメタノール５０部からなる溶液を、ボールミル装置で２０時間分散することによって、導電層用塗布液を調製した。導電層用塗布液に含有される粒子の平均粒径は０．２５μｍであった。
【０１３０】
この導電層用塗布液を支持体上に浸漬塗布し、これを４８分間、１５０℃に調整された熱風乾燥機中で乾燥及び硬化させることによって、膜厚が１５μｍの導電層を形成した。
【０１３１】
次に、共重合ナイロン樹脂（商品名：アミランＣＭ８０００、東レ（株）製）１０部及びメトキシメチル化ナイロン樹脂（商品名：トレジンＥＦ３０Ｔ、帝国化学産業（株）製）３０部を、
メタノール５００部／ブタノール２５０部の混合溶剤に溶解させることによって、中間層用塗布液を調製した。
【０１３２】
この中間層用塗布液を導電層上に浸漬塗布し、これを２２分間、１００℃に調整された熱風乾燥機中で乾燥させることによって、膜厚が０．４５μｍの中間層を形成した。
【０１３３】
次に、ＣｕＫα特性Ｘ線回折におけるブラッグ角２θ±０．２°の７．４°及び２８．２°に強いピークを有するヒドロキシガリウムフタロシアニン（電荷発生物質）４部、
ポリビニルブチラール樹脂（商品名：エスレックＢＸ−１、積水化学工業（株）製）２部、
及び、シクロヘキサノン９０部からなる溶液を、直径１ｍｍガラスビーズを用いたサンドミル装置で１０時間分散した後、これに酢酸エチル１１０部を加えることによって、電荷発生層用塗布液を調製した。
【０１３４】
この電荷発生層用塗布液を中間層上に浸漬塗布し、これを２２分間、８０℃に調整された熱風乾燥機中で乾燥させることによって、膜厚が０．１７μｍの電荷発生層を形成した。
【０１３５】
次に、下記式（１１）で示される構造を有する化合物（電荷輸送物質）３５部、
【０１３６】
【化１】
2009036830.tif 000003
【０１３７】
及び、ビスフェノールＺ型ポリカーボネート樹脂（商品名：ユーピロンＺ４００、三菱エンジニアリングプラスティックス（株）製）５０部を、
モノクロロベンゼン３２０部／ジメトキシメタン５０部の混合溶剤に溶解させることによって、第一電荷輸送層用塗布液を調製した。
【０１３８】
この第一電荷輸送層用塗布液を電荷発生層上に浸漬塗布し、これを４０分間、１００℃に調整された熱風乾燥機中で乾燥させることによって、膜厚が２０μｍの第一電荷輸送層を形成した。
【０１３９】
次に、下記式（１２）で示される構造を有する化合物（重合性官能基を有する正孔輸送性化合物）３０部
【０１４０】
【化２】
2009036830.tif 000004
【０１４１】
を、１−プロパノール３５部及び１，１，２，２，３，３，４−ヘプタフルオロシクロペンタン（商品名：ゼオローラＨ、日本ゼオン（株）製）３５部の混合溶剤に溶解させた。その後、これをポリテトラフルオロエチレン（ＰＴＦＥ）製の０．５μｍメンブレンフィルターで加圧濾過することによって、第二電荷輸送層用塗布液を調製した。
【０１４２】
この第二電荷輸送層用塗布液を第一電荷輸送層上に浸漬塗布した後、１００℃の条件下５分間保持して溶剤を風乾させた。
【０１４３】
これに、窒素雰囲気（酸素濃度１０ｐｐｍ）下で加速電圧１５０ｋＶ、線量７×１０４Ｇｙ（７Ｍｒａｄ）の条件で電子線を照射した。その後、同雰囲気下で電子写真感光体（＝電子線の被照射体）の温度が１２０℃になる条件で９０秒間加熱処理を行い、更に大気中で１００℃に調整された熱風乾燥機中で２０分間加熱処理を行うことによって、膜厚が５μｍの硬化性の第二電荷輸送層を形成した。
【０１４４】
実施例１の電子写真感光体を電気特性測定システム（ジェンテック株式会社製、型番：ＣＹＮＴＨＩＡ５９ＴＣ／Ａ）を用い、図８に示すような構成にして電位減衰を測定した。
【０１４５】
電子写真感光体は０．８８ｓｅｃで１回転させ、帯電手段はスコロトロンのコロナ帯電を用い、露光手段は７８５ｎｍ波長のレーザーを用い、前露光手段は、６７０ｎｍ波長のＬＥＤを用い、前記前露光手段の光量は電子写真感光体の半減露光量の１０倍とした。露光光量は、電子写真感光体が−６００Ｖになった時点でレーザーを照射し、露光照射から１８０ｍｓｅｃ後の表面電位が−４００Ｖになるように調整した。上記のように測定条件を設定した後、測定した電位減衰は７．５Ｖであった。
【０１４６】
［実施例２］
上記のように作成した電子写真感光体を、図４に示される電子写真装置に搭載した。
【０１４７】
電子写真装置の各条件は以下の通りに設定されている。感光体１ａ、１ｂ、１ｃ、１ｄは１ａがイエロートナーを現像し、１ｂがマゼンタトナーを現像し、１ｃがシアントナーを現像し、１ｄがブラックトナーを現像し、０．７５ｓｅｃで１回転している。転写帯電より１次帯電までに要する時間は０．３７５ｓｅｃであった。
【０１４８】
前露光手段２ａ、２ｂ、２ｃ、２ｄは、７００ｎｍの波長のＬＥＤランプを用い、実施例１の感光体の表面電位が−８００Ｖのときの半減露光量の１０倍の光量を照射した。
【０１４９】
帯電手段（第１の帯電手段）３ａ、３ｂ、３ｃ、３ｄはスコロトロンで、グリッド電圧は−７００Ｖとした。
【０１５０】
露光手段４ａ、４ｂ、４ｃ、４ｄは、感光体の表面電位が−２００Ｖとなる時に最大画像濃度、−５００Ｖとなる時に最小画像濃度がとなるように設定し、−２００Ｖから−５００Ｖの間の感光体の表面電位の中で各色２５６階調が再現できるよう設定した。
【０１５１】
現像手段はトナーとキャリアを有する２成分現像とした。トナー外径は質量平均で６μｍ、内部にワックスが含まれていおり、キャリア外径は質量平均で５０μｍであった。
【０１５２】
転写手段６ａ、６ｂ、６ｃ、６ｄは４０μＡが印加されている。
【０１５３】
本発明に用いる帯電手段（第２の帯電手段）８ａ、８ｂ、８ｃ、８ｄは、電流が−４００μＡが印加されている。
【０１５４】
クリーニング手段５ａ、５ｂ、５ｃ、５ｄのクリーニングブレードは材質はポリウレタンであり、硬度は７７°、厚さは２ｍｍで感光体に圧接する荷重は２０ｇ／ｃｍであった。
【０１５５】
中間転写体７は、材質が、ポリイミドで厚さは５００μｍであった。
【０１５６】
以上のように設定した電子写真装置で、表１のような色及び画像濃度のスラスト長さ２５０ｍｍ、幅５０ｍｍの画像を形成させ、この画像を１万枚通紙した後に、画像を評価した。何れの画像でも問題は発生しなかった。
【０１５７】
［実施例３］
実施例２において、感光体の１回転に要する時間を０．６６ｓｅｃとすることにより、転写帯電より１次帯電までに要する時間は０．３７５ｓｅｃとなった。転写電流値、本発明に用いる帯電手段（第２の帯電手段）は、１回転に要する時間が０．８８倍となったため、１．１４倍増加させ、各々、４５．６μＡ、−４５６μＡとした。それ以外は実施例２と同様にした。実施例２と同様な評価をした。その結果を表２に示す。
【０１５８】
［参考例１］
実施例２において、感光体の１回転に要する時間を１．０６ｓｅｃとすることにより、転写帯電より１次帯電までに要する時間は０．５３ｓｅｃとなった。更に本発明に用いる帯電手段（第２の帯電手段）の出力をしなかった。それ以外は実施例２と同様な評価をした。その結果を表３に示す。転写から帯電までに要する時間が０．４ｓｅｃよりも長い場合は問題が発生しなかった。
【０１５９】
［比較例１］
実施例１において、第１電荷輸送層まで形成した。比較例１の電子写真感光体の電位減衰は１．８Ｖであった。
【０１６０】
この電子写真感光体を実施例２と同様に図４に示される電子写真装置に搭載し、参考例１と同様な評価をした。その結果を表４に示す。電位減衰が３Ｖ未満であれば問題は発生しなかった。
【０１６１】
［比較例２］
実施例１において、更に大気中で１００℃に調整された熱風乾燥機中で２０分間加熱処理を行わなかった。電位減衰は、３０Ｖであった。実施例２と同様な評価を行った。
【０１６２】
その結果を表５に示す。何れのときも不具合画像は改善されなかった。
【０１６３】
［実施例４］
実施例１と同様に第一電荷輸送層まで同様に形成した。次いで、下記式（１７）で示される構造を有する熱硬化性の正孔輸送性構造を有するヒドロキシメチル基含有フェノール化合物３０部
【０１６４】
【化３】
2009036830.tif 000005
【０１６５】
を、メタノール３５部／エタノール３５部の混合溶剤に溶解させた後、これをＰＴＦＥ製の０．２μｍメンブレンフィルターで加圧濾過することによって、第二電荷輸送層用塗布液を調製した。
【０１６６】
この第二電荷輸送層用塗布液を第一電荷輸送層上に浸漬塗布し、これを１時間、１２０℃に調整された熱風乾燥機中で熱硬化させることによって、膜厚が５μｍの第二電荷輸送層を形成した。
【０１６７】
実施例４の電子写真感光体の電位減衰は１０Ｖであった。
【０１６８】
［実施例５］
実施例４の電子写真感光体を実施例２と同様に評価を行った。その結果を表６に示す。
【０１６９】
［実施例６］
実施例４の電子写真感光体を実施例３と同様に評価を行った。その結果を表７に示す。
【０１７０】
［参考例２］
実施例４の感光体を参考例１と同様な電子写真装置に搭載し、同様な評価を行った。
【０１７１】
その結果を表８に示す。
【０１７２】
［比較例３］
実施例４において、第二電荷輸送層の熱硬化温度を１６０℃とした。電位減衰は３１Ｖであった。実施例２と同様な電子写真装置に搭載し、同様な評価を行った。その結果を表９に示す。
【０１７３】
［実施例７］
実施例１と同様に第一電荷輸送層まで同様に形成した。次に、レゾール型フェノール樹脂ワニス（商品名：ＰＬ−４８５２、群栄化学工業（株）製、不揮発成分：７５％）２１．２部及び下記式（１８）で示される構造を有する化合物（電荷輸送物質）１４．１部
【０１７４】
【化４】
2009036830.tif 000006
【０１７５】
を溶解させた後、これをＰＴＦＥ製の５μｍメンブレンフィルターで加圧濾過することによって、第二電荷輸送層用塗布液を調製した。
【０１７６】
この第二電荷輸送層用塗布液を第一電荷輸送層上に浸漬塗布し、これを１時間、１２５℃に調整された熱風乾燥機中で熱硬化させることによって、膜厚が５μｍの第二電荷輸送層を形成した。
【０１７７】
実施例７の電子写真感光体の電位減衰は１６Ｖであった。
【０１７８】
［実施例８］
実施例７の電子写真感光体を実施例２と同様に評価を行った。その結果を表１０に示す。
【０１７９】
［実施例９］
実施例７の電子写真感光体を実施例３と同様に評価を行った。その結果を表１１に示す。
【０１８０】
［参考例３］
実施例７の電子写真感光体を参考例１と同様に評価を行った。その結果を表１２に示す。
【０１８１】
［実施例１０］
実施例１と同様に第一電荷輸送層まで同様に形成した。次に、アンチモンドープ酸化スズ粒子（商品名：Ｔ−１、三菱マテリアル（株）製、平均粒径０．０２μｍ）１００部を、下記式（１９）で示される構造を有するフッ素原子含有化合物（商品名：ＬＳ−１０９０、信越化学工業（株）製）７部
【０１８２】
【化５】
2009036830.tif 000007
【０１８３】
で表面処理した（以下「処理量７％」と記す。）。この表面処理済みアンチモンドープ酸化スズ粒子４５部、下記式（２０）で示される構造を有するアクリル樹脂モノマー１８部、
【０１８４】
【化６】
2009036830.tif 000008
【０１８５】
２−メチルチオキサントン（光重合開始剤）６．８部、四フッ化エチレン樹脂粒子（ルブロンＬ−２）１４部、及び、エタノール１５０部を、サンドミル装置で９０時間分散することによって、保護層用塗布液を調製した。
【０１８６】
この保護層用塗布液を電荷輸送層上に浸漬塗布し、これを乾燥後、これに高圧水銀灯から２５０Ｗ／ｃｍ２の強度の紫外線を１００秒間照射することによってこれを硬化させた。これを２時間１２０℃の熱風で乾燥させることによって、膜厚が５μｍの硬化性の保護層を形成した。
【０１８７】
実施例１０の電子写真感光体の電位減衰は１８Ｖであった。
【０１８８】
［実施例１１］
実施例１０の電子写真感光体を実施例２と同様に評価を行った。その結果を表１３に示す。
【０１８９】
［実施例１２］
実施例１０の電子写真感光体を実施例３と同様に評価を行った。その結果を表１４に示す。
【０１９０】
［実施例１３］
実施例１と同様に第一電荷輸送層まで同様に形成した。次に、上記式（１８）で示される構造を有する化合物（電荷輸送物質）１０部に、
トリアルコキシシランとテトラアルコキシシランの加水分解縮合物を主成分とする熱硬化性シリコーン樹脂（東芝シリコーン（株）製トスガード５１０）を結着樹脂の不揮発分が１７部になるように添加し、
これに２−プロパノールを塗布液全体の固形分が３０質量％になるように添加することによって、第二電荷輸送層用塗布液を調製した。
【０１９１】
この第二電荷輸送層用塗布液を第一電荷輸送層上に浸漬塗布し、８０分間１３０℃で熱処理し、もってこれを熱硬化させることによって、膜厚が５μｍの第二電荷輸送層を形成した。
【０１９２】
実施例１３の電子写真感光体の電位減衰は２１Ｖであった。
【０１９３】
［実施例１４」
実施例１３の電子写真感光体を実施例２と同様に評価を行った。その結果を表１５に示す。
【０１９４】
［実施例１５］
実施例１３の電子写真感光体を実施例３と同様に評価を行った。その結果を表１６に示す。
【０１９５】
［参考例４］
実施例１４において、画像濃度が１０％のチャートを用い、参考例１のように第２の帯電手段の出力をせず、連続的に通紙を行った。１万枚毎に、実施例２と同様な評価を行った。すると１０万枚通紙を行ったところで、画像上にスラスト方向に画像スジが発生した。
【０１９６】
［実施例１６］
参考例４において、５万枚通紙を行ったところで、本発明に用いる帯電手段（第２の帯電手段）の出力を−５５０μＡとした。その後通紙を継続したが、３０万枚通紙後でも画像不具合は発生しなかった。
【０１９７】
［参考例５］
実施例１において、第二電荷輸送層の線量を５．５×１０４Ｇｙ（７Ｍｒａｄ）の条件で電子線を照射し、それ以外は同様に電子写真感光体を形成した。電位減衰は、５．５Ｖであった。参考例１と同様に画像評価を行ったところ、画像上に問題は発生しなかった。
【０１９８】
そこで、参考例１の電子写真装置の条件で連続通紙を行ったところ、５万枚通紙で、画像上にスラスト方向に画像スジが発生した。
【０１９９】
［実施例１７］
参考例５において、３万枚通紙後に、本発明に用いる帯電手段（第２の帯電手段）を−４００μＡで出力させた。
【０２００】
すると、５万枚時でも画像スジは発生せず、３０万枚通紙後でも画像スジの発生はなかった。
［実施例１８］
参考例５において、通紙初期より、本発明に用いる帯電手段を印加した。３０万枚通紙後でも画像スジの発生はなかった。
【０２０１】
【表１】
2009036830.tif 000009
【０２０２】
【表２】
2009036830.tif 000010
【０２０３】
【表３】
2009036830.tif 000011
【０２０４】
【表４】
2009036830.tif 000012
【０２０５】
【表５】
2009036830.tif 000013
【０２０６】
【表６】
2009036830.tif 000014
【０２０７】
【表７】
2009036830.tif 000015
【０２０８】
【表８】
2009036830.tif 000016
【０２０９】
【表９】
2009036830.tif 000017
【０２１０】
【表１０】
2009036830.tif 000018
【０２１１】
【表１１】
2009036830.tif 000019
【０２１２】
【表１２】
2009036830.tif 000020
【０２１３】
【表１３】
2009036830.tif 000021
【０２１４】
【表１４】
2009036830.tif 000022
【０２１５】
【表１５】
2009036830.tif 000023
【０２１６】
【表１６】
2009036830.tif 000024
【図面の簡単な説明】
【０２１７】
【図１】光感度曲線を示す図である。
【図２】光感度曲線を示す図である。
【図３−１】電子写真感光体の層構成の１例を示す図である。
【図３−２】電子写真感光体の層構成の他の１例を示す図である。
【図３−３】電子写真感光体の層構成の他の１例を示す図である。
【図３−４】電子写真感光体の層構成の他の１例を示す図である。
【図４】本発明の電子写真装置の例を示す概略図である。
【図５−１】本発明の電子写真装置の第２の帯電手段の配置を示す概略図である。
【図５−２】本発明の電子写真装置の第２の帯電手段の配置を示す他の概略図である。
【図５−３】本発明の電子写真装置の第２の帯電手段の配置を示す他の概略図である。
【図５−４】本発明の電子写真装置の第２の帯電手段の配置を示す他の概略図である。
【図６】本発明の電子写真装置の例を示す他の概略図である。
【図７−１】本発明の電子写真装置の例を示す他の概略図である。
【図７−２】本発明の電子写真装置の例を示す他の概略図である。
【図８】電位減衰の測定方法を示す図である。
【符号の説明】
【０２１８】
１ａ、１ｂ、１ｃ、１ｄ  電子写真感光体
２ａ、２ｂ、２ｃ、２ｄ  前露光手段
３ａ、３ｂ、３ｃ、３ｄ  帯電手段
４ａ、４ｂ、４ｃ、４ｄ  露光手段
５ａ、５ｂ、５ｃ、５ｄ  現像手段
６ａ、６ｂ、６ｃ、６ｄ  １次転写手段
７  中間転写体
８ａ、８ｂ、８ｃ、８ｄ  本発明に用いる帯電手段（第２の帯電手段）
９ａ、９ｂ、９ｃ、９ｄ  クリーニング手段
１０  紙カセット
１１  ２次転写手段
１２  定着手段
１３  トレイ
１４ａ、１４ｂ、１４ｃ  中間転写体テンションローラ
１５  電子写真感光体
１６  帯電手段
１７  露光手段
１８  現像手段
１９  中間転写体
２０  １次転写手段
２１  本発明に用いる帯電手段
２２  クリーニング手段
２３  前露光手段
２４ａ、２４ｂ、２４ｃ、２４ｄ  電子写真感光体
２５ａ、２５ｂ、２５ｃ、２５ｄ  前露光手段
２６ａ、２６ｂ、２６ｃ、２６ｄ  帯電手段
２７ａ、２７ｂ、２７ｃ、２７ｄ  露光手段
２８ａ、２８ｂ、２８ｃ、２８ｄ  現像手段
２９  転写ベルト
３０ａ、３０ｂ  テンションローラ
３１ａ、３１ｂ、３１ｃ、３１ｄ  転写手段
３２ａ、３２ｂ、３２ｃ、３２ｄ  本発明に用いる帯電手段（第２の帯電手段）
３３ａ、３３ｂ、３３ｃ、３３ｄ  クリーニング手段
３４  紙カセット
３５  定着手段
３６  トレイ
３７  電子写真感光体
３８  前露光手段
３９  帯電手段
４０  露光手段
４１  現像手段
４２  中間転写体
４２−１  １次転写手段
４３ａ、４３ｂ、４３ｃ  テンションローラ
４４  本発明に用いる帯電手段（第２の帯電手段）
４５  クリーニング手段
４６  ２次転写手段
４７  紙カセット
４８  定着手段
４９  トレイ
５０  電子写真感光体
５１  前露光手段
５２  帯電手段
５３  露光手段
５４  現像手段
５５  転写体
５５−１  転写手段
５６  吸着ローラ
５７  本発明に用いる帯電手段（第２の帯電手段）
５８  クリーニング手段
５９  分離爪
６０  クリーニング手段
６１  紙カセット
６２  定着手段
６３  トレイ
６４  感光体
６５  前露光手段
６６  帯電手段
６７  表面電位計
６８  露光手段
【図１】
2009036830.tif 000025
【図２】
2009036830.tif 000026
【図３−１】
2009036830.tif 000027
【図３−２】
2009036830.tif 000028
【図３−３】
2009036830.tif 000029
【図３−４】
2009036830.tif 000030
【図４】
2009036830.tif 000031
【図５−１】
2009036830.tif 000032
【図５−２】
2009036830.tif 000033
【図５−３】
2009036830.tif 000034
【図５−４】
2009036830.tif 000035
【図６】
2009036830.tif 000036
【図７−１】
2009036830.tif 000037
【図７−２】
2009036830.tif 000038
【図８】
2009036830.tif 000039